(57)【要約】   直交周波数分割多重（ＯＦＤＭ）／直交周波数分割多元接続（ＯＦＤＭＡ）用受信機の異なる段における、再送されたハイブリッド自動再送要求（ＨＡＲＱ）メッセージを合成するための方法および装置が提供される。特定のチャネルで用いるＨＡＲＱ合成器の形式は、伝送信号の変調次数、合成信号に必要なビット数、およびＨＡＲＱバッファのヘッドルームを含む多くの選択基準に依存する。いくつかの実施例において、異なる形式のＨＡＲＱ合成器の組合せが受信機内に設計され、チャネル毎ベースで選択される。ＨＡＲＱ合成方式の適切な選択は、従来のＨＡＲＱ合成手法と比較すると、必要なＨＡＲＱバッファサイズを減少させ、合成利得を増加させることになる。【選択図】      図４Ｂ
2011508488.tif 000002
【特許請求の範囲】
【請求項１】
ハイブリッド自動再送要求（ＨＡＲＱ）メカニズムを用いた無線通信のための受信機であって、
誤りのある復号メッセージを有する先行して受信されたＨＡＲＱ伝送に対する信号データを格納するための少なくとも１つのバッファと；
受信機処理パスに沿った第１の位置における第１の合成器と；
前記受信機処理パスの前記第１の位置の下流に沿った第２の位置における第２の合成器と；
現在受信されるＨＡＲＱ伝送に対する信号データおよび誤りのある復号メッセージを有する前記先行して受信されたＨＡＲＱ伝送に対する信号データに基づいてＨＡＲＱ合成信号データを生成する際に用いる前記第１および前記第２の合成器の１つを選択するように構成された制御論理と；
を備える受信機。
【請求項２】
前記制御論理は、ＨＡＲＱ伝送に用いられるチャネルの変調次数に少なくとも一部基づいて前記第１および前記第２の合成器の１つを選択するように構成された、請求項１に記載の受信機。
【請求項３】
前記制御論理は、バッファに残存する未使用記憶空間の量に少なくとも一部基づいて前記第１および前記第２の合成器の１つを選択するように構成された、請求項１に記載の受信機。
【請求項４】
前記受信機処理パスの前記第２の位置の下流に沿った第３の位置における第３の合成器をさらに備え、前記制御論理は、前記現在受信されるＨＡＲＱ伝送に対する信号データおよび誤りのある復号メッセージを有する前記先行して受信されたＨＡＲＱ伝送に対する信号データに基づいてＨＡＲＱ合成信号データを生成する際に用いる前記第１、前記第２および前記第３の合成器の１つを選択するように構成された、請求項１に記載の受信機。
【請求項５】
前記第１および前記第２の合成器は、チェイス合成を用いて前記ＨＡＲＱ合成された信号データを生成するように構成された請求項１に記載の受信機。
【請求項６】
前記第１および前記第２の合成器の少なくとも１つは、復調論理の前の前記受信処理パスに位置している、請求項１に記載の受信機。
【請求項７】
ハイブリッド自動再送要求（ＨＡＲＱ）メカニズムを用いる無線通信のための装置であって、
誤りのある復号メッセージを有する先行して受信されたＨＡＲＱ伝送に対する信号データを格納するための手段と；
受信機処理パスに沿った第１の位置におけるＨＡＲＱ結合信号データを生成するための第１の手段と；
前記受信機処理パスの前記第１の位置の下流に沿った第２の位置におけるＨＡＲＱ合成信号データを生成するための第２の手段と；
前記誤りのある復号メッセージを有する先行して受信されたＨＡＲＱ伝送に対する信号データおよび現在受信されるＨＡＲＱ伝送に対する信号データに基づくＨＡＲＱ合成信号データを生成する際に用いる前記第１および前記第２の手段の１つを選択するための手段と；
を備える装置。
【請求項８】
前記受信機処理パスの前記第２の位置の下流に沿った第３の位置におけるＨＡＲＱ合成信号データを生成するための第３の手段をさらに備え、前記選択するための手段は、前記第１、前記第２および前記第３の手段の１つを選択するように構成された、請求項７に記載の受信機。
【請求項９】
前記選択するための手段は、ＨＡＲＱ伝送に用いられるチャネルの変調次数に少なくとも一部基づいて前記第１および前記第２の生成手段の１つを選択するように構成された、請求項７に記載の装置。
【請求項１０】
前記選択するための手段は、記憶手段に残存する未使用記憶空間の量に少なくとも一部基づいて前記第１および前記第２の合成器の１つを選択するように構成された、請求項７に記載の受信機。
【請求項１１】
ハイブリッド自動再送要求（ＨＡＲＱ）メカニズムを用いる無線通信のためのプロセッサであって、
現在のＨＡＲＱ伝送を受信することと；
現在受信されたＨＡＲＱ伝送に対する信号データおよび誤りのある復号メッセージを有する先行して受信されたＨＡＲＱ伝送に対する信号データに基づいてＨＡＲＱ合成信号データを生成する際に用いる第１および第２の合成器の１つを選択することと、なお、前記第１および前記第２の合成器は前記受信機処理パスに沿って異なる位置に配置される；
を備えるプロセッサ。
【請求項１２】
前記選択することは、ＨＡＲＱ伝送に用いられるチャネルの変調次数に少なくとも一部基づく、請求項１１に記載のプロセッサ。
【請求項１３】
前記選択することは、前記先行して受信されたＨＡＲＱ伝送に対する信号データを格納するためのバッファに残存する未使用記憶空間の量に少なくとも一部基づく、請求項１１に記載の受信機。
【請求項１４】
現在のハイブリッド自動再送要求（ＨＡＲＱ）伝送を受信するための受信機フロントエンドと；
誤りのある復号メッセージを有する先行して受信されたＨＡＲＱ伝送に対する信号データを格納するための少なくとも１つのバッファと；
受信機処理パスに沿った第１の位置における第１の合成器と；
前記受信機処理パスの前記第１の位置の下流に沿った第２の位置にある第２の合成器と；
前記現在のＨＡＲＱ伝送に対する信号データおよび前記誤りのある復号メッセージを有する先行して受信されたＨＡＲＱ伝送に対する信号データに基づいてＨＡＲＱ合成信号データを生成する際に用いる前記第１および前記第２の合成器の１つを選択するように構成された制御論理と；
を備える移動デバイス。
【請求項１５】
前記現在のＨＡＲＱ伝送は、直交周波数分割多重（ＯＦＤＭ）で送られる、請求項１４に記載の移動デバイス。
【請求項１６】
前記制御論理は、ＨＡＲＱ伝送に用いられるチャネルの変調次数に少なくとも一部基づいて前記第１および前記第２の合成器の１つを選択するように構成された、請求項１４に記載の移動デバイス。
【請求項１７】
前記制御論理は、バッファに残存する未使用記憶空間の量に少なくとも一部基づいて前記第１および前記第２の合成器の１つを選択するように構成された、請求項１４に記載の移動デバイス。
【請求項１８】
無線通信システムにおけるハイブリッド自動再送要求（ＨＡＲＱ）伝送を判読するための方法であって、
現在のＨＡＲＱ伝送信号を受信することと；
現在受信されるＨＡＲＱ伝送に対する信号データおよび誤りのある復号メッセージを有する先行して受信されたＨＡＲＱ伝送に対する信号データに基づいてＨＡＲＱ合成信号データを生成する際に用いる第１および第２の合成器の１つを選択することと、なお、前記第１および第２の合成器は受信機処理パスに沿って異なる位置に配置される；
を備える方法。
【請求項１９】
前記選択することは、ＨＡＲＱ伝送に用いられるチャネルの変調次数に少なくとも一部基づく、請求項１８に記載の方法。
【請求項２０】
前記選択することは、先行して受信されたＨＡＲＱ伝送に対する信号データを格納するためのバッファの残存する未使用記憶空間の量に少なくとも一部基づく、請求項１８に記載の方法。
【請求項２１】
命令セットを格納している計算機可読媒体を含む、ハイブリッド自動再送要求（ＨＡＲＱ）メカニズムを用いる無線通信のための計算機プログラム製品であって、前記命令セットは１つ以上のプロセッサによって実行可能であり、かつ、前記命令セットは、
誤りのある復号メッセージを有する先行して受信されたＨＡＲＱ伝送に対する信号データを格納するための命令と、
受信機処理パスに沿った第１の位置においてＨＡＲＱ合成信号データを生成するための第１の命令と；
前記受信機処理パスの前記第１の位置の下流に沿った第２の位置においてＨＡＲＱ合成信号データを生成するための第２の命令と；
前記誤りのある復号メッセージを有する先行して受信されたＨＡＲＱ伝送に対する信号データおよび現在受信されるＨＡＲＱ伝送に対する信号データに基づくＨＡＲＱ合成信号データを生成する際に用いる前記第１および第２の命令の１つを選択するための命令と；  を備える計算機プログラム製品。
【請求項２２】
前記受信処理パスの前記第２の位置の下流に沿った第３の位置においてＨＡＲＱ合成信号データを生成するための第３の命令をさらに備え、前記選択するための命令は、前記第１、前記第２および前記第３の命令の１つを選択するようにさらに構成された、請求項２１に記載の計算機プログラム製品。
【請求項２３】
前記選択するための命令は、ＨＡＲＱ伝送に用いられるチャネルの変調次数に少なくとも一部基づいて前記第１および前記第２の生成するための命令の１つを選択するように構成された、請求項２１に記載の計算機プログラム製品。
【請求項２４】
前記選択するための命令は、格納するための命令に残存する未使用記憶空間の量に少なくとも一部基づいて前記第１および前記第２の合成器の１つを選択するように構成された、請求項２１に記載の計算機プログラム製品。
【発明の詳細な説明】
【技術分野】
【０００１】
本開示の実施例は、一般に、データ通信に関する。より詳細には、無線通信用のハイブリッド自動再送要求（ＨＡＲＱ）合成方式に関する。
【背景技術】
【０００２】
いくつかの無線システムは、データ伝送の信頼性を改良するために誤り検出（ＥＤ）ビットおよび前方誤り訂正（ＦＥＣ）ビットを伝送信号に加えた自動再送要求（ＨＡＲＱ）方式を採用している。受信機は、パケットが適切に復号されたか否かを決定するために、これらのＥＤおよびＦＥＣビットを用いることができる。復号されない場合、受信機はそのパケットを再送するように送信機へ要求する否定応答（ＮＡＫ）を介して送信機へ通知する。
【０００３】
いくつかの用途において、チェイス（Chase）合成が採用される。これは、誤りのあるコード化された受信データブロックが受信機の（ＨＡＲＱバッファ内に）に捨てられずにむしろ蓄積される。再送ブロックが受信されると、再送ブロックは先行して受信されたブロックと合成される。これは、復号成功の確率を上昇させることができる。異なる形式の合成手法は伝送パラメータに依存して、ビット誤り率性能と必要なバッファサイズに影響する。残念ながら、伝送パラメータは、特に無線チャネル間でしばしば変化する。したがって、受信機で実施される合成方式の形式が常に最適であるというわけではない。
【発明の概要】
【０００４】
本開示の実施例は、一般に、無線通信用受信機内の異なる段において、再送されたハイブリッド自動再送要求（ＨＡＲＱ）メッセージを合成するための異なる形式の合成器を選択することに関する。
【０００５】
本開示の特定の実施例はＨＡＲＱメカニズムを用いた無線通信用受信機を提供する。本受信機は、一般に、誤りのある復号メッセージを有する先行して受信されたＨＡＲＱ伝送に対する信号データを格納するための少なくとも１つのバッファと、受信機処理パスに沿った第１の位置における第１の合成器と、受信機処理パスの第１の位置の下流に沿った第２の位置における第２の合成器と、制御論理とを含む。制御論理は、現在受信されるＨＡＲＱ伝送に対する信号データおよび誤りのある復号メッセージを有する先行して受信されたＨＡＲＱ伝送に対する信号データに基づいてＨＡＲＱ合成信号データを生成する際に用いる第１および第２の合成器の１つを選択するように構成される。
【０００６】
本開示の実施例はＨＡＲＱメカニズムを用いる無線通信用装置を提供する。本装置は、一般に、誤りのある復号メッセージを有する先行して受信されたＨＡＲＱ伝送に対する信号データを格納するための手段と、受信機処理パスに沿った第１の位置におけるＨＡＲＱ合成信号データを生成するための第１の手段と、受信処理パスの第１の位置の下流に沿った第２の位置におけるＨＡＲＱ合成信号データを生成するための第２の手段と、誤りのある復号メッセージを有する先行して受信されたＨＡＲＱ伝送に対する信号データおよび現在受信されるＨＡＲＱ伝送に対する信号データと基づいてＨＡＲＱ合成信号データを生成する際に用いる第１および第２の手段の１つを選択するための手段とを含む。
【０００７】
本開示の特定の実施例はＨＡＲＱメカニズムを用いた無線通信用プロセッサを提供する。本プロセッサによって実行される操作は、現在のＨＡＲＱ伝送信号を受信すること、並びに現在受信されるＨＡＲＱ伝送に対する信号データおよび誤りのある復号メッセージを有する先行して受信されたＨＡＲＱ伝送に対する信号データに基づいてＨＡＲＱ合成信号データを生成する際に用いる第１および第２の合成器の１つを選択することを含む。第１および第２の合成器は受信機処理パスに沿って異なる位置に配置される。
【０００８】
本開示の特定の実施例は移動デバイスを提供する。本移動デバイスは、一般に、現在のＨＡＲＱ伝送信号を受信するための受信機フロントエンドと、誤りのある復号メッセージを有する先行した受信されたＨＡＲＱ伝送に対する信号データを格納するための少なくとも１つのバッファと、受信機処理パスに沿った第１の位置における第１の合成器と、受信機処理パスの第１の位置の下流に沿った第２の位置における第２の合成器と、制御論理とを含む。制御論理は、現在のＨＡＲＱ伝送に対する信号データおよび誤りのある復号メッセージを有する先行して受信されるＨＡＲＱ伝送に対する信号データに基づいてＨＡＲＱ合成信号データを生成する際に用いる第１および第２の合成器の１つを選択するように構成される。
【０００９】
本開示の特定の実施例は、無線通信システムにおけるＨＡＲＱ伝送信号を判読（interpret）する方法である。本方法は、一般に、現在のＨＡＲＱ伝送信号を受信すること、並びに現在のＨＡＲＱ伝送に対する信号データおよび誤りのある復号メッセージを有する先行して受信されたＨＡＲＱ伝送に対する信号データに基づいてＨＡＲＱ合成信号データを生成する際に用いる第１および第２の合成器の１つを選択することを含む。前記第１および第２の合成器は受信機処理パスに沿って異なる位置に配置される。
【００１０】
本開示の特定の実施例はＨＡＲＱメカニズムを用いた無線通信のための計算機プログラム製品を提供する。本計算機プログラム製品は、一般に、誤りのある復号メッセージを有する先行して受信されたＨＡＲＱ伝送に対する信号データを格納するための命令と、受信機処理パスに沿った第１の位置におけるＨＡＲＱ合成信号データを生成するための第１の命令と、受信処理パスの第１の位置の下流に沿った第２の位置におけるＨＡＲＱ合成信号データを生成するための第２の命令と、誤りのある復号メッセージを有する先行して受信されたＨＡＲＱ伝送に対する信号データおよび現在受信されるＨＡＲＱ伝送に対する信号データに基づいてＨＡＲＱ合成信号データを生成する際に用いる前記第１および第２の命令の１つを選択するための命令とを含む。
【図面の簡単な説明】
【００１１】
【図１】図１は本開示の特定の実施例に従う例示的無線通信システムを示す図。
【図２】図２は本開示の特定の実施例に従う無線デバイスで利用されるかもしれない種々の部品を例示する図。
【図３】図３は本開示の特定の実施例に従う、直交周波数分割多重および直交周波数分割多元接続（ＯＦＤＭ／ＯＦＤＭＡ）技術を利用する無線通信システム内で用いられるかもしれない例示的送信機および例示的受信機を示す図。
【図３Ａ】図３Ａは本開示の特定の実施例に従う、図３の送信機および受信機を用いたハイブリッド自動再送要求（ＨＡＲＱ）伝送を示す図。
【図４Ａ】図４Ａは本開示の特定の実施例に従う、ＨＡＲＱ伝送のための例示的送信機を示す図。
【図４Ｂ】図４Ｂは本開示の特定の実施例に従う、ＨＡＲＱ伝送のための例示的受信機を示す図。
【図５】図５は本開示の特定の実施例に従う、図４Ｂの受信機の一例を示す図。
【図６Ａ】図６Ａは本開示の特定の実施例に従う、選択された異なる合成方式を有する図５の受信機を例示する図。
【図６Ｂ】図６Ｂは本開示の特定の実施例に従う、選択された異なる合成方式を有する図５の受信機を例示する図。
【図６Ｃ】図６Ｃは本開示の特定の実施例に従う、選択された異なる合成方式を有する図５の受信機を例示する図。
【図７】図７は本開示の特定の実施例に従う、選択的ＨＡＲＱ（Ｓ−ＨＡＲＱ）合成のための例示的操作のフロー図。
【図８】図８は本開示の特定の実施例に従う、信号デマッピング前の合成を例示する図。
【図９】図９は本開示の特定の実施例に従う、信号デマッピング後の合成を例示する図。
【図１０】図１０は本開示の特定の実施例に従う、チャネル復号前の合成を例示する図。
【図１１】図１１は本開示の特定の実施例に従う、Ｓ−ＨＡＲＱ合成のための例示的操作のフロー図。
【図１１Ａ】図１１Ａは本開示の特定の実施例に従う、図１１のＳ−ＨＡＲＱ合成のための例示的操作に対応する手段のブロック図。
【発明の詳細な説明】
【００１２】
本開示の上述の特徴が詳細に理解され得るように、上で簡単に要約したより詳細な説明は、一部が添付図面に示されている実施例への参照によってなされる。しかし、添付図面は本開示の特定の典型的な実施例のみを例示しており、したがってこれらの図面は、この説明には他の同様に有効な実施例の余地があるため、この開示の範囲を限定するものと考えられるべきではないことに注意すべきである。
【００１３】
本開示の実施例は、受信機内の、送信／再送信されたハイブリッド自動再送要求（ＨＡＲＱ）メッセージを合成するための異なる形式の合成器を選択するための手法およびシステムを提供する。いくつかの実施例において、異なる形式のＨＡＲＱ合成器の組合せが受信機内に（異なる処理段において）設計され、チャネルベースで選択される。
【００１４】
所与の時間に特定のチャネルで用いるように選択された合成器の形式は、多くの選択基準、例えば送信信号の変調次数、合成信号に必要なビット数、およびＨＡＲＱバッファの残余空き空間量（ヘッドルーム）に依存する。ＨＡＲＱ合成方式の適切な選択は、単一の合成器を利用する従来のＨＡＲＱ合成手法と比較すると、必要なＨＡＲＱバッファサイズを減少させ、合成利得を増加させることになる。
【００１５】
以下の説明は、特定ではあるが限定的ではない一方式として、チェイス合成を利用する選択的ＨＡＲＱ（Ｓ−ＨＡＲＱ）合成の特定の実施例を述べる。チェイス合成において、再送信信号は元の送信信号の複製である。しかし、当業者は、ここに説明する選択的合成の概念は、再送信信号がチャネル符号器からの新しいパリティビットを含む増加冗長（incremental redundancy）（ＩＲ）のような他の合成方式による類似の利点に対して用いられうることを認識するだろう。
【００１６】
代表的無線通信システム
本開示の方法および装置は広帯域無線通信システムに利用されうる。用語「広帯域無線」は無線、音声、インターネット、および／または、所与の領域上でのデータネットワークアクセスを提供する技術を指す。
【００１７】
マイクロ波アクセスのための世界規模相互運用（Worldwide Interoperability for Microwave Access）を表すＷｉＭＡＸは、長距離の高スループット広帯域接続を提供する規格ベースの広帯域無線技術である。現在、ＷｉＭＡＸには２つの主要な用途、すなわち固定ＷｉＭＡＸおよびモバイルＷｉＭＡＸがある。固定ＷｉＭＡＸの用途は、例えば家庭およびビジネスへの広帯域アクセスを可能にする１対多点である。モバイルＷｉＭＡＸは広帯域の速度でセルラーネットワークの完全なモビリティを提供する。
【００１８】
モバイルＷｉＭＡＸはＯＦＤＭ（直交周波数分割多重）とＯＦＤＭＡ（直交周波数分割多元接続）技術に基づく。ＯＦＤＭは、最近種々の高データレート通信システムに広く用いられるようになったディジタルマルチキャリア変調技術である。ＯＦＤＭを用いて、１つの送信ビットストリームは複数の低速サブストリームに分割される。各サブストリームは、複数の直交副搬送波の１つで変調され、複数の並列サブチャネルの１つで送られる。ＯＦＤＭＡは、ユーザが異なる時間スロットの副搬送波を割り当てられる多元接続技術である。ＯＦＤＭＡは、多くのユーザを種々の用途、データレートおよびサービス品質の要求事項に適応させることができるフレキシブルな多元接続技術である。
【００１９】
無線インターネットおよび通信における急速な成長により無線通信サービスの分野で高データレートに対する要求が増加してきた。現在、ＯＦＤＭ／ＯＦＤＭＡシステムは、最も有望な研究領域の１つとして、および次世代無線通信の主要技術と見なされる。これはＯＦＤＭ／ＯＦＤＭＡ変調方式が、通常の単一搬送波変調方式よりもすぐれた変調効率、スペクトル効率、柔軟性、強いマルチパス耐性などの多くの利点を提供できるという事実に起因する。
【００２０】
ＩＥＥＥ  ８０２．１６ｘは、固定およびモバイル広帯域無線アクセス（ＢＷＡ）のための無線インタフェースを定めるためにできた標準化機関である。ＩＥＥＥ  ８０２．１６ｘは２００４年５月に固定ＢＷＡシステムのための”IEEE P802.16  REVd/D5−2004”を承認し、２００５年１０月にモバイルＢＷＡシステムのための”IEEE P802.16e/D12 Oct. 2005”を発行した。それらの２つの規格は４つの異なる物理層（ＰＨＹ）および１つのメディアアクセス制御（ＭＡＣ）層を定義した。この４つの物理層のＯＦＤＭおよびＯＦＤＭＡ物理層は固定およびモバイルＢＷＡ領域でそれぞれ最も普及している。
【００２１】
図１に無線通信システム１００の例を示す。無線通信システム１００は広帯域無線通信システムである。無線通信システム１００は各々が基地局１０４のサービスを受ける多数のセル１０２に対して通信を提供する。基地局１０４は、ユーザ端末１０６と交信する固定局である。基地局１０４は、代替的にアクセスポイント、ノードＢ、または他の用語で呼ばれる。
【００２２】
図１はシステム１００全体にわたって分散された種々のユーザ端末１０６を表示する。ユーザ端末１０６は、固定（すなわち静止）または移動である。ユーザ端末１０６は、代替的にリモート局、アクセス端末、端末、加入者ユニット、移動局、局、ユーザ機器などと呼ばれる。ユーザ端末１０６は、携帯電話、携帯情報端末（ＰＤＡ）、ハンドヘルドデバイス、無線モデム、ラップトップコンピュータ、パーソナルコンピュータなどのような無線デバイスである。
【００２３】
無線通信システム１００における基地局１０４とユーザ端末１０６間の伝送に種々のアルゴリズムおよび方法が用いられる。例えば、ＯＦＤＭ／ＯＦＤＭＡ技術に従って、基地局１０４とユーザ端末１０６間で信号が送信および受信される。この場合、無線通信システム１００はＯＦＤＭ／ＯＦＤＭＡシステムと呼ばれる。
【００２４】
基地局１０４からユーザ端末１０６への伝送を支援する通信リンクはダウンリンク１０８と呼ばれ、ユーザ端末１０６から基地局１０４への伝送を支援する通信リンクはアップリンク１１０と呼ばれる。あるいはまた、ダウンリンク１０８は順方向リンクまたは順方向チャネルと呼ばれ、アップリンク１１０は逆方向リンクまたは逆方向チャネルと呼ばれる。
【００２５】
セル１０２は複数のセクタ１１２に分割される。セクタ１１２はセル１０２内の物理的なカバレッジエリアである。無線通信システム１００内の基地局１０４はセル１０２の特定のセクタ１１２内に電力の流れを集中させるアンテナを利用する。そのようなアンテナは指向性アンテナと呼ばれる。
【００２６】
図２に無線デバイス２０２で利用される種々の部品を示す。無線デバイス２０２は、ここに説明する種々の方法を実施するように構成されるデバイスの一例である。無線デバイス２０２は、基地局１０４またはユーザ端末１０６である。
【００２７】
無線デバイス２０２は無線デバイス２０２の操作を制御するプロセッサ２０４を含む。プロセッサ２０４は中央演算処理装置（ＣＰＵ）とも呼ばれる。読み出し専用メモリー（ＲＯＭ）およびランダムアクセスメモリー（ＲＡＭ）の双方を含みうるメモリー２０６は、プロセッサ２０４へ命令およびデータを出力する。また、メモリー２０６の一部分は不揮発性のランダムアクセスメモリー（ＮＶＲＡＭ）を含みうる。プロセッサ２０４はメモリー２０６内に格納されたプログラム命令に基づいて論理演算および算術演算を実行する。メモリー２０６内の命令はここに説明する方法を実施するように実行可能である。
【００２８】
無線デバイス２０２は、無線デバイス２０２と遠隔地間でデータの送信および受信ができるような送信機２１０および受信機２１２を含む筐体２０８を含む。送信機２１０および受信機２１２は送受信機２１４として統合される。アンテナ２１６は筐体２０８に取り付けられ、電気的に送受信機２１４に接続される。無線デバイス２０２は、（図示しない）複数の送信機、複数の受信機、複数の送受信機、および／または複数のアンテナを含む。
【００２９】
また、無線デバイス２０２は送受信機２１４によって受信された信号のレベルを検出し、定量化しようとするときに用いられる信号検出器２１８を含む。信号検出器２１８は、総エネルギー、擬似雑音（ＰＮ）チップあたりのパイロットエネルギー、パワースペクトル密度、および他の信号のような信号を検出する。また、無線デバイス２０２は信号処理に用いるためのディジタル信号プロセッサ（ＤＳＰ）２２０を含む。
【００３０】
無線デバイス２０２の種々の部品はバスシステム２２２によって互いに接続される。これはデータバスに加えて、電力バス、制御信号バス、および状態信号バスを含む。
【００３１】
図３にＯＦＤＭ／ＯＦＤＭＡを利用する無線通信システム１００の中で用いられる送信機３０２の一例を示す。送信機３０２の複数の部分は無線デバイス２０２の送信機２１０において実施される。送信機３０２は、ダウンリンク１０８でデータ３０６をユーザ端末１０６へ送信するために基地局１０４内で実施される。また、送信機３０２は、アップリンク１１０でデータ３０６を基地局１０４へ送信するためにユーザ端末１０６内でも実施される。
【００３２】
送信されるデータ３０６は直列−並列（Ｓ／Ｐ）変換器３０８への入力として提供されていることを示す。Ｓ／Ｐ変換器３０８は送信データをＮ個の並列データストリーム３１０に分割する。
【００３３】
次に、Ｎ個の並列データストリーム３１０はマッパ３１２の入力として提供される。マッパ３１２はＮ個の並列データストリーム３１０をＮ個のコンステレーション点にマッピングする。このマッピングは、２位相偏移変調（ＢＰＳＫ）、４位相偏移変調（ＱＰＳＫ）、８位相偏移変調（８ＰＳＫ）、直交振幅変調（ＱＡＭ）などのようないくつかの変調コンステレーションを用いてなされる。したがって、マッパ３１２は、各シンボルストリーム３１６が逆高速フーリエ変換（ＩＦＦＴ）３２０のＮ個の直交副搬送波の１つに対応するＮ個の並列シンボルストリーム３１６を出力する。これらのＮ個の並列シンボルストリーム３１６は周波数領域で表される。またＩＦＦＴ部品３２０によってＮ個の並列時間領域サンプルストリーム３１８へ変換される。
【００３４】
ここで、用語に関する注記を簡潔に述べる。周波数領域のＮ個の並列変調は周波数領域のＮ個の変調シンボルに等しい。これらのシンボルは周波数領域のＮ個のマッピング後のＮ点ＩＦＦＴに等しく、これは時間領域の有効な１ＯＦＤＭシンボルに等しく、有効な１ＯＦＤＭシンボルは時間領域のＮ個のサンプルに等しい。時間領域の１つのＯＦＤＭシンボルＮｓはＮｃｐ（ＯＦＤＭシンボル当たりのガードサンプル数）＋Ｎ（ＯＦＤＭサンプル当たりの有効サンプル数）に等しい。
【００３５】
Ｎ個の並列時間領域サンプルストリーム３１８は並列直列（Ｐ／Ｓ）変換器３２４によりＯＦＤＭ／ＯＦＤＭＡシンボルストリーム３２２に変換される。ガード挿入部品３２６はＯＦＤＭ／ＯＦＤＭＡシンボルストリーム３２２内の連続したＯＦＤＭ／ＯＦＤＭＡシンボルの間にガード区間を挿入する。次に、ガード挿入部品３２６の出力は無線周波数（ＲＦ）フロントエンド３２８により所望の送信周波数帯にアップコンバートされる。次に、アンテナ３３０はその結果得られた信号３３２を送信する。
【００３６】
さらに、図３にＯＦＤＭ／ＯＦＤＭＡを利用する無線通信システム１００の中で用いられる受信機３０４の一例を示す。受信機３０４の複数の部分は無線デバイス２０２の受信機２１２において実施される。受信機３０４はダウンリンク１０８で基地局１０４からデータ３０６を受信するためにユーザ端末１０６で実施される。また、受信機３０４はアップリンク１１０でユーザ端末１０６からデータ３０６を受信するために基地局１０４でも実施される。
【００３７】
図では送信信号３３２は無線チャネル３３４上を進行している。信号３３２′がアンテナ３３０′によって受信されると、受信信号３３２′はＲＦフロントエンド３２８′によってベースバンド信号にダウンコンバージョンされる。次に、ガード除去部品３２６′はガード挿入部品３２６によってＯＦＤＭ／ＯＦＤＭＡシンボル間に挿入されたガード区間を除去する。
【００３８】
ガード除去部品３２６′の出力はＳ／Ｐ変換器３２４′へ送られる。Ｓ／Ｐ変換器３２４′はＯＦＤＭ／ＯＦＤＭＡシンボルストリーム３２２′を、各々がＮ個の直交副搬送波の１つに対応するＮ個の並列時間領域シンボルストリーム３１８′に分割する。高速フーリエ変換（ＦＦＴ）部品３２０′はＮ個の並列時間領域シンボルストリーム３１８′を周波数領域へ変換し、Ｎ個の並列周波数領域シンボルストリーム３１６′を出力する。
【００３９】
デマッパ３１２′はマッパ３１２によって実行されたマッピング操作の逆を実行し、その結果、Ｎ個の並列データストリーム３１０′を出力する。Ｐ／Ｓ変換器３０８′はＮ個のデータストリーム３１０′を合成して単一のデータストリーム３０６′にする。理想的には、このデータストリーム３０６′は送信機３０２への入力として提供されたデータ３０６に一致する。
【００４０】
代表的ＨＡＲＱ伝送
基地局１０４とユーザ端末１０６間の通信の信頼性を増加させるために、システム１００の１つ以上のセル１０２はＨＡＲＱ誤り制御方法を利用する。図３ＡにＨＡＲＱ伝送の基本的なシーケンスを示す。基地局１０４などの送信機（ＴＸ）３０２はアンテナ３３０を介してＨＡＲＱメッセージを含む最初の信号ｓ（１，ｔ）を放送する。ユーザ端末１０６のような無線デバイス２０２の中に含まれる受信機（ＲＸ）３０４のアンテナ３３０′は放送された最初の信号をある電力（ｐ（１））１／２を有する受信信号ｒ（１，ｔ）として受信する。
【００４１】
最初の受信信号ｒ（１，ｔ）は受信機３０４で処理され、復号される。メッセージ復号の際、データペイロードに対して生成された誤り訂正ビット（例えば、チェックサム）はメッセージ内で送られた誤り訂正ビットと比較される。生成された誤り訂正ビットと送信された誤り訂正ビットが整合することは、復号されたメッセージが正しいことを示し、一方不整合は復号されたメッセージの１つ以上のビットに誤りがあることを示す。
【００４２】
復号されたメッセージに誤りがある場合、受信機３０４は否定応答（ＮＡＫ）信号を送信機３０２へ送り返す。チェイス合成を想定すると、送信機３０２は、ＮＡＫ信号を受信すると、ｑ番目（図の例ではｑ＝２）の繰り返しに対して、ＨＡＲＱメッセージを含む同じ信号ｓ（ｑ，ｔ）を再送する。この手順は復号されたメッセージが正しく、また受信機３０４が受信に成功し正しいＨＡＲＱメッセージを復号したことを示すＡＣＫ信号を（ｑ＝Ｎｑにおいて）送信機３０２に送信するまで繰り返される。
【００４３】
図４ＡにＨＡＲＱ伝送を採用するいくつかの実施例のための送信機３０２の例示的ブロック図を示す。ＯＦＤＭまたはＯＦＤＭＡが利用されると想定すると、ＨＡＲＱメッセージは符号器４０２で符号化される。符号化されたビットは信号マッピングブロック４０４で、所望のディジタル変調方式に従って、例えばコンステレーション図を用いてマッピングされる。
【００４４】
副搬送波割当ブロック４０６において、マッピングされた信号はコンステレーション図におけるそれらの位置に従って指定された副搬送波に割り当てられる。通常、この指定された副搬送波は、時間軸に沿っていくつかのシンボルにわたって分散される複数の副搬送波、および周波数軸にわたるいくつかの副搬送波を含む。副搬送波信号はＩＦＦＴブロック４０８で逆高速フーリエ変換（ＩＦＦＴ）を用いて時間領域に変換される。この変換された信号は送信回路４１０およびアンテナ３３０を用いて無線チャネル３３４で送信される。
【００４５】
図４Ｂに特定の実施例における送信信号を受信できる受信機３０４のブロック図を示す。アンテナ３３０′は、送信機３０２からの送信信号を受信し、それをＲＦフロントエンド４１２へ送る。ＲＦフロントエンド４１２は送信信号を受信し、それをディジタル信号処理のために用意する適切な回路、例えば自動利得制御（ＡＧＣ）、高速フーリエ変換（ＦＦＴ）ブロック、チャネル推定器、およびキャリア対干渉雑音比（ＣＩＮＲ）推定器を含む。
【００４６】
次に、ＲＦフロントエンド４１２からの信号は、信号の復調および再送信メッセージのためになされる必要がある任意のＨＡＲＱ合成のために信号処理ブロック４１４へ送られる。したがって、信号処理ブロック４１４は、副搬送波割当解除（deallocation）、信号デマッピング、ＨＡＲＱ合成および信号加重のための任意の適切な回路を含む。処理された信号は、信号処理ブロック４１４からチャネル復号器４１６へ送られる。チャネル復号器はデマッピングされＨＡＲＱ合成された符号化されたビットを復号し、復号されたＨＡＲＱメッセージを出力し、さらにメッセージが正しく復号されたかどうかを見るために誤りビットをチェックする。
【００４７】
いくつかの実施例において、ＲＦフロントエンド４１２の複数の部分、信号処理ブロック４１４、および／またはチャネル復号器４１６はディジタル信号プロセッサ（ＤＳＰ）で実施されてもよい。ＤＳＰは、信号デマッピング、ＨＡＲＱ合成、およびチャネル復号のような任意の適切な上記機能を実行するための論理を含みうる。
【００４８】
代表的選択的ＨＡＲＱ合成方式
上述したように、本開示の特定の実施例は、例えば受信機の信号処理ブロック４１４の異なる処理段で実施される異なるＨＡＲＱ合成器の選択をする。例えば、合成器の一形式は信号デマッパの前に配置され、形式Ａ合成器と呼ばれる。別の形式の合成器は信号デマッパの後ろに配置され、形式Ｂ合成器として考察される。第３の形式の合成器はチャネルデコーダ４１６の直前に配置され、形式Ｃ合成器と呼ばれる。特定の実施例に依存して、ＨＡＲＱ伝送のためのＯＦＤＭ／ＯＦＤＭＡ受信機は形式Ａ、形式Ｂ、および／または形式Ｃ合成器の組合せを含む。これらの合成器の各形式は、以下にさらに詳細に説明される。
【００４９】
受信機３０４は、ある場合には、所与の無線チャネルに対してどの形式の合成器が用いられるかを選択するための論理を含むだろう。そのような選択的ＨＡＲＱ（Ｓ−ＨＡＲＱ）合成方式において、１つ以上のＨＡＲＱ合成器はＨＡＲＱバッファを共有する。または各ＨＡＲＱ合成器はそれ自身のバッファを持つ。例えば、選択されない合成器は、効果的に動作不能にされ、別の信号経路によってその合成器はバイパスされる。
【００５０】
特定のＨＡＲＱチャネルのための合成器の選択は種々の基準、例えば送信信号の変調次数およびＨＡＲＱの（複数の）バッファのヘッドルームに依存する。例えばＨＡＲＱ伝送が高次の変調次数（例えば２５６点直交振幅変調（２５６−ＱＡＭ）、６４−ＱＡＭ、または１６−ＱＡＭ）を用いる場合、形式Ａ合成器が選択される。ＨＡＲＱ伝送が中程度の変調次数（例えば、１６−ＱＡＭまたは４位相偏移変調（ＱＰＳＫ））を用いる場合、形式Ｂ合成器が選択される。ＨＡＲＱチャネルが低い変調次数（例えば、ＱＰＳＫまたは２位相偏移変調（ＢＰＳＫ））、の伝送に関係している場合、形式Ｂまたは形式Ｃの合成器が選択される。
【００５１】
上記の例によって述べたように、ある変調次数に対して異なる形式のＨＡＲＱ合成器がいくらかオーバラップしている。合成器選択のための別の基準は、各形式の合成器に対して合成された信号に必要なビット数である。これはバッファ空間の消費に影響を与える。Ｓ−ＨＡＲＱ合成方式は、通常の合成方式に較べると、改善された合成利得を提供しつつ必要なＨＡＲＱバッファサイズを顕著に減少させる。
【００５２】
図５に本開示の特定の実施例に従って、Ｓ−ＨＡＲＱ合成を実行できる、異なる処理段階に配置された複数の合成器を備えた受信機のブロック図５００を示す。異なる実施例は、異なる処理段階において異なる形式の合成器の異なる組合せを有して。これらは単一のＨＡＲＱバッファまたは複数のＨＡＲＱバッファを共有する。
【００５３】
例示した実施例において、受信機は形式Ａ合成器５０２、形式Ｂ合成器５０４、形式Ｃ合成器５０６、およびこれら３つの合成器に共通の単一のＨＡＲＱバッファ５０８を含む。例示した実施例において、形式Ａ合成器５０２は信号デマッパ５１０の前に配置され、一方形式Ｂ合成器５０４は信号デマッパ５１０の直後に配置される。形式Ｃ合成器５０６はチャネル復号器４１６の直前に配置される。
【００５４】
Ｓ−ＨＡＲＱ合成方式のための以下の説明は、受信機３０４がｑ番目のＨＡＲＱメッセージを受信中であり、ｑ番目のＨＡＲＱメッセージを受信する前に既にｑ−１個のＨＡＲＱメッセージを受信したと仮定する。ｑ番目のＨＡＲＱメッセージに関しては、送信機３０２は、時間領域で特性ｈ（ｑ，ｔ）を有する無線チャネルｈを通じた送信のために信号ｓ（ｑ，ｔ）を放送する。受信機３０４は送信信号を受信する。この信号の振幅は
【数１】
2011508488.tif 000003
【００５５】
である。ここでｐ（ｑ）はｑ番目の受信の測定電力、ｎ（ｑ，ｔ）は付加雑音項である。
【００５６】
受信機３０４のＲＦフロントエンド４１２は、受信信号の利得に対するＡＧＣ５１２を含み、ＡＧＣ５１２の出力のすべての信号が同じ振幅を有するようにする。ＡＧＣ５１２のためのフィードバックおよび制御として、ＲＦフロントエンド４１２はＡＧＣ５１２の出力からのｐ（ｑ）を測定するために電力測定回路５１４を含む。ＡＧＣ５１２の調整された出力は正規化された信号ｒ（ｑ，ｔ）と考えられる。
【００５７】
また、ＲＦフロントエンド４１２は正規化された受信信号ｒ（ｑ，ｔ）を時間領域から周波数領域に変換するためにＦＦＴブロック５１６を含む。ＦＦＴブロック５１６の出力はＲｆｆｔ（ｑ，ｉ，ｎ）＝ｆｆｔ（ｒ（ｑ，ｉ，ｎ））である。ここで、ＮｆｆｔはＦＦＴ点の数、ｉ番目のＯＦＤＭシンボルについてｉ＝・・・，ｓｙｍ（ｉ−１），ｓｙｍ（ｉ），ｓｙｍ（ｉ＋１），・・・、ｎ＝１，２，・・・，Ｎｆｆｔ、ｔ＝１，２，・・・，Ｎｆｆｔである。図５に示すように、ＦＦＴブロック５１６は、信号Ｒｓｃ（ｑ，ｕ）を形成するために、変換された信号から副搬送波を割当解除するための副搬送波割当解除ブロックを含む。ここでｕ＝１，２，・・・，Ｎｕ、Ｎｕは割り当てられたすべての副搬送波の数である。
【００５８】
さらに、Ｒｆｆｔ（ｑ，ｉ，ｎ）信号またはＲｓｃ（ｑ，ｕ）信号はチャネル推定器（ＣＥ）５１８へ送られる。ＣＥ５１８は対応する副搬送波およびシンボルに対するチャネルを推定する。ＣＥ５１８の出力は、Ｈｐ（ｑ，ｉ，ｎ）または、ＣＥ５１８が副搬送波割当解除ブロックを含む場合は図示のようにＨｓｃ（ｑ，ｕ）である。Ｒｆｆｔ（ｑ，ｉ，ｎ）信号またはＲｓｃ（ｑ，ｕ）信号は、キャリア対干渉雑音比（ＣＩＮＲ）推定器５２０へ送られる。ＣＩＮＲ推定器５２０はｑ番目の信号に対する信号電力（Ｐｓｉｇｎａｌ（ｑ））、干渉電力（Ｐｉｎｔｅｒｆｅｒｅｎｃｅ（ｑ））、雑音電力（Ｐｎｏｉｓｅ（ｑ））、およびＣＩＮＲ（ｑ）を推定する。また、ＣＩＮＲ推定器５２０は、図示するように合成ＣＩＮＲｃ（ｑ）を計算する。
【００５９】
加重計算器５２２は、例えば電力測定回路５１４で測定される電力ｐ（ｑ）、またはＣＩＮＲ推定器５２０で測定されるＣＩＮＲ（ｑ）に基づいて、ｑ番目のＨＡＲＱ信号に対する加重係数Ｆ（ｑ）を計算する。電力加重係数が計算される場合、Ｆ（ｑ）はｑ番目のＨＡＲＱ信号の電力と最初のＨＡＲＱ信号ｐ（１）または予め定められた電力ｐｐｄとの比である。加重係数は、数式では以下のように表される。
【００６０】
Ｆ（ｑ）＝ｐ（ｑ）／ｐ（１）またはＦ（ｑ）＝ｐ（ｑ）／ｐｐｄ
ＣＮＩＲ加重係数が計算される場合、Ｆ（ｑ）はｑ番目のＨＡＲＱ信号のＣＩＮＲと最初のＨＡＲＱ信号のＣＩＮＲ（１）または予め定められたキャリア対干渉雑音比ＣＩＮＲｐｄとの比である。数式では加重係数は以下のように表される。
【００６１】
Ｆ（ｑ）＝ＣＩＮＲ（ｑ）／ＣＩＮＲ（１）またはＦ（ｑ）＝ＣＩＮＲ（ｑ）／ＣＩＮＲｐｄ
加重計算器５２２によって計算されるような加重係数の目的は、合成前に、ｑ番目のＨＡＲＱ信号の電力またはＣＩＮＲを、先行して受信された他のＨＡＲＱ信号と等しくすることである。加重係数を用いることによって、受信信号の電力に影響しうる再送信間の無線チャネルにおける雑音または変化は、ＨＡＲＱ合成に影響を与えないだろう。加重係数の使用は以下にさらに詳細に説明される。
【００６２】
特定の受信機３０４について、最大Ｎｈａｒｑｃｈ個のＨＡＲＱチャネルがあり、各ＨＡＲＱチャネルは最大Ｎｈａｒｑｒｔ回再送される。Ｎｈａｒｑｒｔが大きく、不適当な形式の合成器が選択される場合、ＨＡＲＱバッファ５０８は急速に空き領域を使い果たす。合成器の方式選択のためのアルゴリズムは、バッファ空き領域を節約しようとするとき、この状況を考慮するように設計される。
【００６３】
例えば、ＨＡＲＱメッセージ／チャンネル管理器５２４は、復号されるＨＡＲＱチャネルおよびそのチャネルに関係づけられた変調次数Ｎｍｏｄを（例えば、チャネル番号によって）決定し、これらをＨＡＲＱバッファ５０８に接続されたＳ−ＨＡＲＱバッファ制御器５２６へ出力する。変調次数ＮｍｏｄはＢＰＳＫに対しては１、ＱＰＳＫに対しては２、１６−ＱＡＭに対しては４、６４−ＱＡＭに対しては６、および２５６−ＱＡＭに対しては８に等しい。Ｓ−ＨＡＲＱバッファ制御器５２６は、チャネル番号および変調次数を用いてＨＡＲＱバッファ５０８のヘッドルームを決定し、これらに基づいて、適切な形式のＨＡＲＱ合成器を以下の説明に従って選択する。
【００６４】
選択された合成器の形式は、Ｓ−ＨＡＲＱ合成方式においてはチャネル毎である。したがって、任意の所与の合成器について、いったん合成器の形式が選択されると、いかなる後続の再送メッセージも同じ形式の合成器が用いられる。
【００６５】
異なる形式のＨＡＲＱ合成器間の選択は、多くの選択基準に依存し、また必要なバッファサイズと性能間のトレードオフを含む。各ＨＡＲＱチャネルに対応する変調次数および各ＨＡＲＱ合成器形式のビット幅を考察することによって、必要なバッファサイズは減少される。
【００６６】
一般に、ＢＰＳＫのような低次の変調次数については、必要なバッファサイズは、形式Ｃから形式Ｂ、形式Ａへと増加する傾向にあり、形式Ａは形式Ｂよりも顕著に大きいバッファを必要とする。（すなわち、ReqBufSizeType−C＜ReqBufSizeType−B≪ReqBufSizeType−A）。２５６−ＱＡＭのようなより高次の変調次数については、必要なバッファサイズは、一般に、形式Ａから形式Ｂ、形式Ｃへと増加する傾向にある。（すなわち、ReqBufSizeType−A＜ReqBufSizeType−B＜ReqBufSizeType−C）。
【００６７】
しかし、低次の変調次数および高次の変調次数双方に対するビット誤り率（ＢＥＲ）性能は通常形式Ａで最良であり、以下形式Ｂ、次に形式Ｃ  ＨＡＲＱ合成器と続く。言い換えれば、ＢＥＲ、または電気雑音によるビット誤判読の尤度は形式Ａ  ＨＡＲＱ合成器で最低である（すなわち、BERType−A＜BERType−B＜BERType−C）。これらの傾向をすべて考慮して、ＨＡＲＱバッファ制御器５２６は、一般に、高次の変調次数の伝送に形式Ａ合成器５０２を、中程度の変調次数の伝送に形式Ｂ合成器５０４を、低次の変調次数の伝送に形式Ｃ合成器５０６を選択する。
【００６８】
また、利用可能なバッファのヘッドルームは、Ｓ−ＨＡＲＱ合成方式に従ってどの形式のＨＡＲＱ合成器を用いるかを決定するための選択基準の要素である。例えば、ＨＡＲＱバッファ制御器５２６は、サポートされるＨＡＲＱチャネルの総数およびバッファ５０８の残余空き空間量を、所与のチャネルに対する適切なＨＡＲＱ合成器を選択するために考慮する。
【００６９】
図６Ａ乃至６Ｃに異なる形式の合成器が選択されている受信機３０４を通した信号処理フローを示す。図６Ａでは形式Ａ合成器５０２が選択され、図６Ｂでは形式Ｂ合成器５０４が選択され、図６Ｃでは形式Ｃ合成器５０６が選択される。また、図６Ａ乃至６Ｃに、合成したＨＡＲＱ信号を格納するために必要なバッファサイズにおける、異なる形式の合成器間の相対的な差を図示する。
【００７０】
図６Ａに示すように、形式Ａ合成器５０２が特定のチャネルに対して選択される場合、ＨＡＲＱ合成はデマッピング前の、シンボルレベルでなされる。ＨＡＲＱ合成された信号ＲＡ（ｑ，ｕ）を生成しようとするときに復号されたメッセージが正しくなかった場合には、ｑ番目の受信信号について、Ｒｓｃ（ｑ，ｕ）は先行のＨＡＲＱ受信からの割当解除された副搬送波信号ＲＡ（ｑ−１，ｕ）と合成される。また、ＣＥ５１８の出力Ｈｓｃ（ｑ，ｕ）は、ＨＡＲＱ合成されたチャネル推定信号ＣＡ（ｑ，ｕ）を生成しようとするときに、先行のＨＡＲＱ受信からのチャネル推定信号ＣＡ（ｑ−１，ｕ）と合成される。後で形式Ａ合成器５０２をより詳細に説明する。
【００７１】
形式Ａ合成器５０２がこの特定のチャネルに対して選択されない場合、ＦＦＴブロック５１６およびＣＥ５１８の出力は、形式Ａ  ＨＡＲＱ合成に対して先行のＨＡＲＱ受信からのバッファに格納された信号ＲＡ（ｑ−１，ｕ）およびＣＡ（ｑ−１，ｕ）と、ほとんどの場合、合成されない。代わりに、図６Ｂおよび６Ｃに例示するように、ＦＦＴブロック５１６およびＣＥ５１８の出力は形式Ａ合成器５０２を迂回しまたは無変化で通過し、ＲＡ（ｑ，ｕ）＝Ｒｓｃ（ｑ，ｕ）およびＣＡ（ｑ，ｕ）＝Ｈｓｃ（ｑ，ｕ）となる。
【００７２】
ｑ番目の繰り返しに対する復号されたＨＡＲＱメッセージに誤りがあり、そのために別の再送信を提案する場合、合成された信号ＲＡ（ｑ，ｕ）およびＣＡ（ｑ，ｕ）はＨＡＲＱバッファ５０８に保存される。いくつかの実施例において、合成された信号ＲＡ（ｑ，ｕ）およびＣＡ（ｑ，ｕ）はＨＡＲＱバッファ５０８のメモリー空間を節約しようとするときには以前に格納された信号を置き換える。形式Ａ合成器５０２がこの特定のチャネルに対して選択されない場合、合成された信号ＲＡ（ｑ，ｕ）およびＣＡ（ｑ，ｕ）はＨＡＲＱバッファ５０８に保存される必要はない。
【００７３】
ＲＡ（ｑ，ｕ）およびＣＡ（ｑ，ｕ）信号は復調／ＬＬＲ（対数尤度比）ブロック５２８に入力される。信号デマッパ５１０において、ＲＡ（ｑ，ｕ）信号は、例えば、特定のチャネルに関係づけられた変調形式に対するコンステレーション図に従ってデマッピングされる。信号デマッパ５１０の出力はデマッピングされた信号Ｒｍ（ｑ，ｂ）である。ここで、ｂ＝１，２，・・・，Ｎｂ、ＮｂはＨＡＲＱメッセージに対する符号化されたビット数、Ｎｂ＝ＮｕＮｍｏｄである。チャネル状態情報（ＣＳＩ）は特定のチャネルに対する信号デマッパ５１０で行われる対応する信号デマッピングに従ってＣＳＩ配列器（arranger）５３０において配列される。ＣＳＩ配列器５３０は、入力としてＣＡ（ｑ，ｕ）を受け入れ、配列されたＣＳＩ信号Ｃｍ（ｑ，ｂ）を出力する。
【００７４】
図６Ｂに示すように、形式Ｂ合成器５０４が特定のチャネルに対して選択される場合、ＨＡＲＱ合成はデマッピング後の、復調された信号レベルでなされる。ＨＡＲＱ合成された信号ＲＢ（ｑ，ｕ）を生成しようとするときに復号されたメッセージに誤りがあった場合には、ｑ番目の受信信号について、Ｒｍ（ｑ，ｂ）は先行のＨＡＲＱ受信からのデマッピングされた信号ＲＢ（ｑ−１，ｂ）と合成される。また、ＣＳＩ配列器５３０の出力Ｃｍ（ｑ，ｂ）は、ＨＡＲＱ合成されたＣＳＩ信号ＣＢ（ｑ，ｂ）を生成しようとするときに、前のＨＡＲＱ受信からのＣＳＩ信号ＣＢ（ｑ−１，ｂ）と合成される。後で形式Ｂ合成器５０４をより詳細に説明する。
【００７５】
形式Ｂ合成器５０４がこの特定のチャネルに対して選択されない場合、信号デマッパ５１０およびＣＳＩ配列器５３０の出力は、形式Ｂ  ＨＡＲＱ合成に対し、先行のＨＡＲＱ受信からのバッファに格納された信号ＲＢ（ｑ−１，ｂ）およびＣＢ（ｑ−１，ｂ）と、ほとんどの場合、合成されない。代わりに、図６Ａおよび６Ｃに例示するように、信号デマッパ５１０およびＣＳＩ配列器５３０の出力は、形式Ｂ合成器５０４を迂回しまたは無変化で通過し、ＲＢ（ｑ，ｂ）＝Ｒｍ（ｑ，ｂ）およびＣB（ｑ，ｂ）＝Ｃｍ（ｑ，ｂ）となる。
【００７６】
ｑ番目の繰り返しに対する復号されたＨＡＲＱメッセージに誤りがあり、そのために別の再送信を提案する場合、合成された信号ＲＢ（ｑ，ｂ）およびＣＢ（ｑ，ｂ）はＨＡＲＱバッファ５０８に保存される。いくつかの実施例について、合成された信号ＲＢ（ｑ，ｂ）およびＣＢ（ｑ，ｂ）はＨＡＲＱバッファ５０８のメモリー空間を節約しようとするときには以前に格納された信号を置き換える。形式Ｂ合成器５０４がこの特定のチャネルに対して選択されない場合、合成された信号ＲＢ（ｑ，ｂ）およびＣＢ（ｑ，ｂ）はＨＡＲＱバッファ５０８に保存される必要はない。
【００７７】
図示するように、合成された信号ＲＢ（ｑ，ｂ）およびＣＢ（ｑ，ｂ）信号は信号加重ブロック５３２ｂに入力される。信号加重ブロックブロック５３２において、復調された受信信号ＲＢ（ｑ，ｂ）は、出力加重信号Ｒｗ（ｑ，ｂ）を形成するために少なくとも対応するＣＳＩ信号ＣＢ（ｑ，ｂ）によって調整され、または加重される。いくつかの実施例において、この調整は、復調された受信信号ＲＢ（ｑ，ｂ）および対応するＣＳＩ信号ＣＢ（ｑ，ｂ）の乗算を含む。また、いくつかの実施例において、復調信号ＲＢ（ｑ，ｂ）に加重する場合、ＣＩＮＲｃ（ｑ）および／または同調係数（tuning factor）Ｆｔｕｎｅが採用される。同調係数は、変調形式、変調対称（modulation symmetry）のビットの位置、およびＣＩＮＲｃの関数であり、デフォルト値は１である。したがって、加重された信号Ｒｗ（ｑ，ｂ）は、次式で表される。Ｒｗ（ｑ，ｂ）＝ＲＢ（ｑ，ｂ）×ＣＢ（ｑ，ｂ）×２×ＣＩＮＲＣ（ｑ）×Ｆｔｕｎｅ。
【００７８】
図６Ｃに示すように、形式Ｃ合成器５０６が特定のチャネルに対して選択される場合、ＨＡＲＱ合成はチャネル復号の直前の、ＬＬＲまたはソフトビットレベルでなされる。ＨＡＲＱ合成された信号ＲＣ（ｑ，ｂ）を生成しようとするときに復号されたメッセージに誤りがあった場合には、ｑ番目の受信信号について、Ｒｗ（ｑ，ｂ）は先行のＨＡＲＱ受信からの加重信号Ｒｗ（ｑ−１，ｂ）と合成される。
【００７９】
信号処理ブロック４１４において信号に加重した後、加重された信号Ｒｗ（ｑ，ｂ）は先行の信号と合成される。ＣＳＩ信号は処理される必要がない。この様に、ＨＡＲＱバッファ５０８はＣＳＩ情報を格納する必要は無く、また形式Ｃ  ＨＡＲＱ合成が利用されている場合、特に低次の変調次数の変調方式（例えば、ＢＰＳＫ）を有するＨＡＲＱチャネルに対して、必要なバッファサイズは減少される。また、形式Ｃ  ＨＡＲＱ合成器５０６が選択されている場合、ＨＡＲＱバッファ５０８は正規化目的のｑ番目のＨＡＲＱ信号に対する重み係数Ｆ（ｑ）も格納する。後で形式Ｃ合成器５０６をより詳細に説明する。
【００８０】
形式Ｃ合成器５０６がこの特定のチャネルに対して選択されない場合、信号加重ブロック５３２の出力は、形式Ｃ  ＨＡＲＱ合成に対して、先行のＨＡＲＱ受信からのバッファ５０８に格納された信号ＲＡ（ｑ−１，ｂ）と、ほとんどの場合、合成されない。
【００８１】
ｑ番目の繰り返しに対する復号されたＨＡＲＱメッセージに誤りがあるようにならないために、別の再送信を提案する場合、合成された信号ＲＣ（ｑ，ｂ）はＨＡＲＱバッファ５０８に保存される。いくつかの実施例について、合成された信号ＲＣ（ｑ，ｂ）はＨＡＲＱバッファ５０８のメモリー空間を節約しようとするときには以前に格納された信号を置き換える。形式Ｃ合成器５０６がこの特定のチャネルに対して選択されない場合、合成された信号ＲＣ（ｑ，ｂ）はＨＡＲＱバッファ５０８に保存される必要はない。
【００８２】
合成された信号ＲＣ（ｑ，ｂ）は信号処理ブロック４１４からチャネル復号器４１６へ送られる。チャネル復号器は、デマッピングされ、ＨＡＲＱ合成された符号化ビットを復号し、さらにｑ番目の繰り返しに対する判読されたＨＡＲＱメッセージを出力する。ｑ番目のＨＡＲＱメッセージの正当性に基づいて、受信機３０４は、上で説明したように、ＡＣＫまたはＮＡＫ信号を送信機３０２へ送信する。
【００８３】
図７に選択的ハイブリッド自動再送要求（Ｓ−ＨＡＲＱ）のための例示的操作６００のフローチャートを示す。操作は、６０２において、特定の無線チャネルでＨＡＲＱメッセージを受信することにより、始まる。６０４において、ヘッドルームを決定するためにＨＡＲＱバッファ５０８の状態が検査される。６０６において、ヘッドルームが十分である場合、６０８において、その無線チャネルに対するＨＡＲＱ合成器の形式が選択される。ＨＡＲＱ合成形式は、上述した１つ以上の選択基準に依存する。しかし、十分なヘッドルームがない場合、図示されるように形式Ｃ合成器５０６が自動的に選択される。
【００８４】
これがＨＡＲＱ信号の最初の送信（ｑ＝１）である場合、当然、ＨＡＲＱ合成は実行される必要はなく、従ってこの場合ＨＡＲＱ合成形式の選択は問題とすべきではない。しかし、復号されたメッセージに誤りがあるため再送が必要である場合、ＨＡＲＱ信号の最初の送信は、適切な受信段階における信号を後続の繰り返しにおけるＨＡＲＱ合成のためにＨＡＲＱバッファ５０８へ保存するために、ほとんどの場合、特定のチャネルに対する所望の形式のＨＡＲＱ合成器に従う。
【００８５】
６０８において形式Ａ合成器５０２が選択される場合、６１０においてＨＡＲＱバッファ５０８へ最後に保存した、前に合成された信号がアクセスされる。６１２において、アクセスされた信号は受信ＨＡＲＱ信号と合成される。６１４において、新しく合成された信号はＨＡＲＱバッファ５０８に保存され、６１６において正規化される。６１８において、正規化された信号は特定のチャネルに対するコンステレーション図に従ってデマッピングされる。６２０において、デマッピングされた信号はＣＳＩで加重され、チャネル復号器４１６へ送られる。
【００８６】
６０８において形式Ｂ合成器５０４が選択される場合、６２２においてＨＡＲＱメッセージが等しくされる。６２４において、等しくされた信号は特定のチャネルに対するコンステレーション図に従ってデマッピングされる。６２６において、ＨＡＲＱバッファ５０８に最後に保存した前に合成された信号がアクセスされる。６２８において、アクセスされた信号はデマッピングされたＨＡＲＱ信号と合成される。６３０において、新しく合成された信号はＨＡＲＱバッファ５０８に保存され、６３２において正規化される。６３４において、正規化された信号はＣＳＩで加重され、加重された信号はチャネル復号器４１６へ送られる。
【００８７】
６０８において形式Ｃ合成器５０６が選択される場合、６３６においてＨＡＲＱ信号が等しくされる。６３８において、等しくされた信号は特定のチャネルに対するコンステレーション図に従ってデマッピングされる。６４０において、デマッピングされた信号はＣＳＩで加重される。６４２において、ＨＡＲＱバッファ５０８に最後に保存した、前に合成された信号がアクセスされる。６４４において、アクセスされた信号は加重されたＨＡＲＱ信号と合成される。６４６において、新しく合成された信号はＨＡＲＱバッファ５０８に保存され、６４８において正規化される。正規化された信号はチャネル復号器４１６へ送られる。
【００８８】
６５０において、選択された形式のＨＡＲＱ合成器からのＨＡＲＱ合成信号は、チャネル復号器４１６において復号される。ＨＡＲＱメッセージの指定ビット―例えば、巡回冗長検査（ＣＲＣ）ビットを含む誤り検出（ＥＤ）ビットおよび前方誤り訂正（ＦＥＣ）ビット―が正しい場合、そのメッセージは判読され、送信および受信に成功する。６５４において、ＨＡＲＱバッファ５０８から特定のＨＡＲＱチャネルが除去される。これらの操作は６０２において異なる無線チャネルから新しいＨＡＲＱメッセージを受信することによって繰り返される。しかし、ＨＡＲＱメッセージの任意の指定されたビットが誤っている場合、上述したように受信機３０４はＨＡＲＱメッセージの再送要求を送信機３０２へ送る。これらの操作は同じチャネルに対して６０２による開始を繰り返す。
【００８９】
代表的形式Ａ合成器
ここで図８を参照して、信号デマッピング前に複数ＨＡＲＱ信号を合成するための形式Ａ合成器の一例を例示する。図８のブロック図７００は固定的な形式Ａ  ＨＡＲＱ合成方式として考察される。しかし、図８の点線内の形式Ａ  ＨＡＲＱ合成器７０２の細部は、いくつかの実施例においては図５に示すＳ−ＨＡＲＱ合成方式の形式Ａ合成器５０２に含まれる。
【００９０】
合成がコンステレーションデマッピングの前に実行されるこの方式は、ダイバーシチ合成利得を向上させようとするときには、最大比合成（ＭＲＣ）方式を用いる。これは入力されるＨＡＲＱ信号を加重係数を用いて加算することによって再帰的になされる。加重係数は、各ＨＡＲＱ受信に対して異なり、各受信の入力ＨＡＲＱ信号のＣＩＮＲ（または、電力）から決定される。加重係数に関しては、最初の受信のＣＩＮＲ（もしくは電力）、または予め定められたＣＩＮＲ（もしくは電力）が基準値と見なされる。また各受信のＣＩＮＲ（もしくは電力）はその基準値で正規化される。雑音の増加を避けるために、すべての合成したＨＡＲＱ信号は各受信の最終合成段階の近くで振幅を等しくされる。結果として得られた信号はチャネル復号前に、合成されたＣＳＩおよびＣＩＮＲによって加重される。
【００９１】
図８のブロック図７００内の多くのブロックは図５のブロック図５００に類似しており、再説明はしない。図５に類似して、形式Ａ  ＨＡＲＱ合成方式のための以下の説明は、受信機３０４がｑ番目のＨＡＲＱメッセージを受信中であり、ｑ番目のＨＡＲＱメッセージを受信する前に受信機３０４はｑ−１個のＨＡＲＱメッセージを受信済みであると仮定する。
【００９２】
信号Ｒｓｃ（ｑ，ｕ）を形成するために変換された信号から副搬送波を割当解除しようとするとき、ＦＦＴブロック５１６の出力Ｒｆｆｔ（ｑ，ｉ，ｎ）は、第１の副搬送波割当解除ブロック７０４へ送られる。ここで、ｕ＝１，２，・・・，Ｎｕ、Ｎｕは割り当てられた副搬送波の数である。副搬送波割当解除はＨＡＲＱメッセージを送る際に用いられた同じ順列に基づいて実行される。さらに、Ｒｆｆｔ（ｑ，ｉ，ｎ）信号はチャネル推定器（ＣＥ）５１８に送られる。ここでは対応する副搬送波およびシンボルに対するチャネルを推定する。図示するようにＨｓｃ（ｑ，ｕ）を形成するためにチャネル推定から副搬送波を割当解除しようとするとき、ＣＥ５１８の出力Ｈｐ（ｑ，ｉ，ｎ）は第２の副搬送波割当解除ブロック７０６へ送られる。
【００９３】
割当解除されたＲｓｃ（ｑ，ｕ）およびＨｓｃ（ｑ，ｕ）信号は形式Ａ  ＨＡＲＱ合成器７０２へ送られる。信号均等化器（equalizer）／合成器７０８において、Ｒｓｃ（ｑ，ｕ）の電力またはＣＩＮＲは、加重値計算器５２２で計算されたような加重係数に基づいて、合成前の他の先行の受信ＨＡＲＱ信号のそれらと等しくされる。加重係数を用いることにより、受信信号のパワーに影響しうる送信信号間の無線チャネルにおける雑音または変化はＨＡＲＱ合成に影響を与えない。信号均等化器／合成器７０８の出力Ｒａｅ（ｑ，ｕ）はＲａｅ（ｑ，ｕ）＝Ｆ（ｑ）Ｒｓｃ（ｑ，ｕ）Ｈｓｃ（ｑ，ｕ）＊として計算される。ここでＨｓｃ（ｑ，ｕ）＊はＨｓｃ（ｑ，ｕ）の複素共役、Ｆ（ｑ）は上述した加重係数である。ＣＳＩ推定器／合成器７１０において、Ｈｓｃ（ｑ，ｕ）の電力またはＣＩＮＲは、加重値計算器５２２で計算されたような加重係数に基づいて、合成前の他の先行のチャネル推定値のそれらと等しくされる。ＣＳＩ推定器／合成器７１０の出力Ｃａｅ（ｑ，ｕ）は
【数２】
2011508488.tif 000004
【００９４】
として計算される。
【００９５】
ｑ番目の受信信号について、等しくされた信号Ｒａｅ（ｑ，ｕ）は先行のＨＡＲＱ受信からの形式Ａの合成信号Ｒａｈ（ｑ−１，ｕ）と合成される。ただし先行のＨＡＲＱ受信では、信号ＨＡＲＱ合成器およびバッファブロック７１２において式Ｒａｈ（ｑ，ｕ）＝Ｒａｅ（ｑ，ｕ）＋Ｒａｈ（ｑ−１，ｕ）に従ってＨＡＲＱ合成信号Ｒａｈ（ｑ，ｕ）を生成しようとするとき、復号されたメッセージには誤りがあった。ＣＳＩ  ＨＡＲＱ合成器およびバッファブロック７１４において、ＣＳＩ推定器／合成器７１０の出力Ｃａｅ（ｑ，ｕ）も、ＨＡＲＱ合成ＣＳＩ信号Ｃａｈ（ｑ，ｕ）を生成しようとするとき、式Ｃａｈ（ｑ，ｕ）＝Ｃａｅ（ｑ，ｕ）＋ＣＲａｈ（ｑ−１，ｕ）に従って、先行のＨＡＲＱ受信からの合成ＣＳＩ信号Ｃａｈ（ｑ−１，ｕ）と合成される。
【００９６】
信号ＨＡＲＱ合成器およびバッファ７１２の出力Ｒａｈ（ｑ，ｕ）は、適切な正規化係数によって正規化信号Ｒａｎ（ｑ，ｕ）を形成するために信号ＨＡＲＱ正規化器７１６において正規化される。いくつかの実施例において、正規化係数はｑ番目の繰り返しに対する合成ＣＳＩ信号Ｃａｈ（ｑ，ｕ）である。したがって正規化信号は式Ｒａｎ（ｑ，ｕ）  ＝  Ｒａｈ（ｑ，ｕ）／Ｃａｈ（ｑ，ｕ）に従って計算される。ＣＳＩ  ＨＡＲＱ合成器およびバッファ７１４の出力Ｃａｈ（ｑ，ｕ）も、適切な正規化係数によって正規化信号Ｃａｎ（ｑ，ｕ）を形成するためにＣＳＩ  ＨＡＲＱ正規化器７１８において正規化される。いくつかの実施例において、正規化係数はＨＡＲＱ順序番号ｑである。したがって、正規化信号は式Ｃａｎ（ｑ，ｕ）＝Ｃａｈ（ｑ，ｕ）／ｑに従って計算される。他の実施例においては、合成されたＣＳＩ正規化のための正規化係数はｑ番目の繰り返しの電力ｐ（ｑ）である。
【００９７】
したがって、形式Ａ  ＨＡＲＱ合成器７０２の信号出力を集計するために、正規化出力信号Ｒａｎ（ｑ，ｕ）は、どのｑ番目の繰り返しについても入力信号Ｒｓｃ（ｑ，ｕ）、チャネル推定入力Ｈｓｃ（ｑ，ｕ）、および加重係数Ｆ（ｑ）から次式に従って計算される。
【数３】
2011508488.tif 000005
【００９８】
同様に、いくつかの実施例において、形式Ａ  ＨＡＲＱ合成器７０２のＣＳＩ出力は、どのｑ番目の繰り返しについてもチャネル推定入力Ｈｓｃ（ｑ，ｕ）および加重係数Ｆ（ｑ）から次式に従って計算される。
【数４】
2011508488.tif 000006
【００９９】
または
【数５】
2011508488.tif 000007
【０１００】
形式Ａ  ＨＡＲＱ合成器７０２の残りのブロックは図５のブロック図の対応するブロックに類似の機能を果たす。ここで、ＲＡ（ｑ，ｕ）＝Ｒａｎ（ｑ，ｕ）、ＣＡ（ｑ，ｕ）＝Ｃａｎ（ｑ，ｕ）である。また他の形式のＨＡＲＱ合成器は迂回される。
【０１０１】
代表的形式Ｂ合成器
ここで図９を参照して、ＯＦＤＭ／ＯＦＤＭＡシステム用の、信号デマッピング後に複数のＨＡＲＱ信号の合成がなされる形式Ｂ  ＨＡＲＱダイバーシチ合成方式を例示する。図９のブロック図８００は固定的な形式Ｂ  ＨＡＲＱ合成方式として考察される。しかし、いくつかの実施例においては、図９の点線内の形式Ｂ  ＨＡＲＱ合成器８０２の細部は図５に示すＳ−ＨＡＲＱ合成方式の形式Ｂ合成器５０４に含まれる。合成がコンステレーションデマッピング後に実行されるこの方式は、ダイバーシチ合成利得を向上させようとするときには、ＭＲＣ方式を用いるかもしれない。上で説明したように、これは入力されるＨＡＲＱ信号を加重係数を用いて加算することによって再帰的になされる。加重係数は、各ＨＡＲＱ受信に対して異なり、各受信の入力ＨＡＲＱ信号のＣＩＮＲ（または、電力）から決定される。入力されるＨＡＲＱ信号は等しくされ、デマピングされ、加重係数Ｆ（ｑ）で加重され再帰的に加算される。結果として得られた信号は各受信の最終段においてもしくはその近くにおいて合成されたＣＳＩによって正規化され、合成されたＣＳＩおよびＣＩＮＲによって、チャネル復号前に加重される。
【０１０２】
図９のブロック図８００の多くのブロックは、図５および図８のそれぞれのブロック図５００および７００と類似しており、以下で再説明はしない。図５に類似して、形式Ｂ  ＨＡＲＱ合成方式のための以下の説明は、受信機３０４がｑ番目のＨＡＲＱメッセージを受信中であり、ｑ番目のＨＡＲＱメッセージを受信する前にｑ−１個のＨＡＲＱメッセージを受信済みであると仮定する。
【０１０３】
注意として、ＣＳＩ推定器／合成器ブロック７１０の出力Ｃｂｅ（ｑ，ｕ）は加重係数Ｆ（ｑ）に依存せず、次式のように計算される。
【数６】
2011508488.tif 000008
【０１０４】
Ｃｂｅ（ｑ，ｕ）は第１の加入者割当解除ブロック７０４の出力Ｒｓｃ（ｑ，ｕ）を均等化する際に用いられる。信号均等化器／合成器８０４において、Ｒｓｃ（ｑ，ｕ）はＨＡＲＱ合成の前にＣＳＩによって等しくされる。信号均等化器／合成器８０４の出力Ｒｂｅ（ｑ，ｕ）は次式のように計算される。
【数７】
2011508488.tif 000009
【０１０５】
ここで、Ｈｓｃ（ｑ，ｕ）＊はＨｓｃ（ｑ，ｕ）の複素共役である。信号均等化器／合成器８０４の出力は、信号Ｒｂｍ（ｑ，ｂ）を形成するための信号デマッパ５１０において信号デマッピングされる。また、推定されたＣＳＩ  Ｃｂｅ（ｑ，ｕ）は信号Ｃｂｍ（ｑ，ｂ）を形成するためのＣＳＩ配列器５３０において同様に処理される。
【０１０６】
復調された出力Ｒｂｍ（ｑ，ｂ）およびＣｂｍ（ｑ，ｂ）信号は形式Ｂ  ＨＡＲＱ合成器８０２へ送られる。ｑ番目の受信信号について、ＣＳＩ  ＨＡＲＱ合成器およびバッファブロック８０６において式Ｃｂｈ（ｑ，ｂ）＝Ｆ（ｑ）Ｃｂｍ（ｑ，ｂ）＋Ｃｂｈ（ｑ−１，ｂ）に従ってＨＡＲＱ合成ＣＳＩ信号Ｃｂｈ（ｑ，ｂ）を生成しようとするときに、復調されたＣＳＩ信号Ｃｂｍ（ｑ，ｂ）は加重係数Ｆ（ｑ）と乗算され、先行のＨＡＲＱ受信からの形式Ｂの合成された信号Ｃｂｈ（ｑ−１，ｂ）と合成される。
【０１０７】
式Ｒｂｈ（ｑ，ｂ）＝Ｆ（ｑ）Ｃｂｍ（ｑ，ｂ）Ｒｂｍ（ｑ，ｂ）＋Ｒｂｈ（ｑ−１，ｂ）に従ってＨＡＲＱ合成信号Ｒｂｈ（ｑ，ｂ）を生成しようとするときに、復調された出力Ｒｂｍ（ｑ，ｂ）は、加重係数Ｆ（ｑ）および復調されたＣＳＩ信号Ｃｂｍ（ｑ，ｂ）と乗算され、復号されたメッセージに誤りがあった前のＨＡＲＱ受信からの合成された形式Ｂ合成信号Ｒｂｈ（ｑ−１，ｂ）と合成される。Ｒｂｈ（ｑ，ｂ）の計算は信号ＨＡＲＱ合成器およびバッファブロック８０８で実行される。
【０１０８】
ＣＳＩ  ＨＡＲＱ合成器およびバッファ８０６の出力Ｃｂｈ（ｑ，ｂ）は、適切な正規化係数によって正規化信号Ｃｂｎ（ｑ，ｂ）を形成するためにＣＳＩ  ＨＡＲＱ正規化器８１０において正規化される。いくつかの実施例において、正規化係数はＨＡＲＱ順序番号ｑであるかもしれない。したがって、正規化信号は式Ｃｂｎ（ｑ，ｂ）＝Ｃｂｈ（ｑ，ｂ）／ｑに従って計算される。他の実施例においては、合成されたＣＳＩ正規化のための正規化係数はｑ番目の繰り返しの電力ｐ（ｑ）である。ＣＳＩ  ＨＡＲＱ合成器およびバッファ８０８の出力Ｒｂｈ（ｑ，ｂ）も、適切な正規化係数によって正規化信号Ｒｂｎ（ｑ，ｂ）を形成するためにＣＳＩ  ＨＡＲＱ正規化器８１２において正規化される。いくつかの実施例において、正規化係数はｑ番目の繰り返しに対する合成ＣＳＩ信号Ｃｂｈ（ｑ，ｂ）である。したがって、正規化信号は式Ｒｂｎ（ｑ，ｂ）＝Ｒｂｈ（ｑ，ｂ）／ｑに従って計算される。
【０１０９】
したがって、ｑ番目の繰り返しに対する形式Ｂ  ＨＡＲＱ合成器８０２の再帰的信号出力を集計するために、正規化出力信号Ｒｂｎ（ｑ，ｂ）はデマッピングされた信号入力Ｒｂｍ（ｑ，ｂ）、ＣＳＩ信号入力Ｃｂｍ（ｑ，ｂ）、および加重係数Ｆ（ｑ）から次式に従って計算される。
【数８】
2011508488.tif 000010
【０１１０】
同様に、いくつかの実施例において、形式Ｂ  ＨＡＲＱ合成器８０２の再帰的ＣＳＩ出力は、どのｑ番目の繰り返しについても、ＣＳＩ信号入力Ｃｂｍ（ｑ，ｂ）および加重係数Ｆ（ｑ）から次式に従って計算される。
【数９】
2011508488.tif 000011
【０１１１】
または
【数１０】
2011508488.tif 000012
【０１１２】
形式Ｂ  ＨＡＲＱ合成器８０２の残りのブロックは図５のブロック図の対応するブロックに類似の機能を果たす。ここで、ＲＢ（ｑ，ｂ）＝Ｒｂｎ（ｑ，ｂ）、ＣＢ（ｑ，ｂ）＝Ｃｂｎ（ｑ，ｂ）である。また他の形式のＨＡＲＱ合成器は迂回される。
【０１１３】
代表的形式Ｃ合成器
ここで図１０を参照して、ＯＦＤＭ／ＯＦＤＭＡシステム用の、チャネル復号前に複数のＨＡＲＱ信号の合成がなされる形式Ｃ  ＨＡＲＱダイバーシチ合成方式を例示する。図１０のブロック図９００は固定的な形式Ｃ  ＨＡＲＱ合成方式として考察される。しかし、いくつかの実施例においては、図１０の点線内の形式Ｃ  ＨＡＲＱ合成器９０２の細部は図５に示すＳ−ＨＡＲＱ合成方式の形式Ｃ合成器５０６に含まれる。
【０１１４】
上で説明したように、形式Ｃ合成方式は入力されるＨＡＲＱ信号を加重係数を用いて加算することによって再帰的になされる。加重係数は各ＨＡＲＱ受信に対して異なり、各受信の入力ＨＡＲＱ信号のＣＩＮＲ（または、電力）から決定される。入力される各信号は等しくされ、デマッピングされ、各受信のＣＳＩおよびＣＩＮＲによって加重される。結果として得られた信号は、チャネル復号前に加重係数によって調整され、再帰的に加算され、合成された加重係数によって正規化される。
【０１１５】
図１０のブロック図９００の多くのブロックは、図５および図９のそれぞれのブロック図５００および８００と類似しており、以下で再説明はしない。  図５に類似して、形式Ｃ  ＨＡＲＱ合成方式のための以下の説明は、受信機３０４がｑ番目のＨＡＲＱメッセージを受信中であり、ｑ番目のＨＡＲＱメッセージを受信する前に受信機３０４はｑ−１個のＨＡＲＱメッセージを受信済みであると仮定する。
【０１１６】
図１０の形式Ｃ  ＨＡＲＱ合成方式において、信号均等化器／合成器８０４の出力Ｒｃｍ（ｑ，ｂ）＝Ｒｂｍ（ｑ，ｂ）およびＣＳＩ配列器５３０の出力Ｃｃｍ（ｑ，ｂ）＝Ｃｂｍ（ｑ，ｂ）は合成のために送られずに、これらの信号は信号加重ブロック５３２へ送られる。信号加重ブロック５３２において、復調された受信信号Ｒｃｍ（ｑ，ｂ）は、出力加重信号Ｒｃｃ（ｑ，ｂ）を形成するために少なくとも対応するＣＳＩ信号Ｃｃｍ（ｑ，ｂ）によって調整される。いくつかの実施例においては、この調整は、復調された受信信号Ｒｃｍ（ｑ，ｂ）を対応するＣＳＩ信号Ｃｃｍ（ｑ，ｂ）、ＣＩＮＲ（ｑ）、および同調係数Ｆｔｕｎｅと、式Ｒｃｃ（ｑ，ｂ）＝Ｒｃｍ（ｑ，ｂ）×Ｃｃｍ（ｑ，ｂ）×２×ＣＩＮＲ（ｑ）×Ｆｔｕｎｅに従って乗算することを含む。
【０１１７】
荷重された出力信号Ｒｃｃ（ｑ，ｂ）は形式Ｃ  ＨＡＲＱ合成器９０２へ送られる。ｑ番目の受信信号について、信号ＨＡＲＱ合成器およびバッファブロック９０４において式Ｒｃｈ（ｑ，ｂ）＝Ｆ（ｑ）Ｒｃｃ（ｑ，ｂ）＋Ｒｃｈ（ｑ−１，ｂ）に従ってＨＡＲＱ合成信号Ｒｃｈ（ｑ，ｂ）を生成しようとするときに、Ｒｃｃ（ｑ，ｂ）は加重係数Ｆ（ｑ）によって乗算され、先行のＨＡＲＱ受信からの形式Ｃ合成信号Ｒｃｃ（ｑ−１，ｂ）と合成される。式Ｃｃｈ（ｑ，ｂ）  ＝  Ｆ（ｑ）  ＋  Ｃｃｈ（ｑ−１，ｂ）に従ってＨＡＲＱ合成されたＣＳＩ信号Ｃｃｈ（ｑ，ｂ）を生成しようとするときに、復号されたメッセージに誤りがあった場合には、加重係数Ｆ（ｑ）は前のＨＡＲＱ受信からの形式Ｃ合成されたＣＳＩ信号と合成される。Ｃｃｈ（ｑ，ｂ）の計算はＣＳＩ  ＨＡＲＱ合成器およびバッファブロック９０６で実行される。
【０１１８】
信号ＨＡＲＱ合成器およびバッファ９０４の出力Ｒｃｈ（ｑ，ｂ）は適切な正規化係数によって正規化信号Ｒｃｎ（ｑ，ｂ）を形成するために信号ＨＡＲＱ正規化器９０８において正規化される。いくつかの実施例について、正規化係数はｑ番目の繰り返しに対する合成したＣＳＩ信号Ｃｃｈ（ｑ，ｂ）である。したがって正規化信号は式Ｒｃｎ（ｑ，ｂ）  ＝  Ｒｃｈ（ｑ，ｂ）／Ｃｃｈ（ｑ，ｂ）に従って計算される。
【０１１９】
したがって、ｑ番目の繰り返しに対する形式Ｃ  ＨＡＲＱ合成器９０２の再帰的信号出力を集計するために正規化出力信号Ｒｃｎ（ｑ，ｂ）は、入力信号Ｒｃｃ（ｑ，ｂ）および加重係数Ｆ（ｑ）から次式に従って計算される。
【数１１】
2011508488.tif 000013
【０１２０】
形式Ｃ  ＨＡＲＱ合成器９０２の残りのブロックは図５のブロック図の対応するブロックに類似の機能を果たす。ここで、ＲＣ（ｑ，ｂ）＝Ｒｃｎ（ｑ，ｂ）である。
【０１２１】
選択的ＨＡＲＱ合成方式の代表例
図１１に選択的ハイブリッド自動再送要求（Ｓ−ＨＡＲＱ）伝送の例示的操作１１００のフロー図を示す。１１０２において、ＨＡＲＱメッセージを特定の無線チャネルを通じて受信することにより操作が始まる。１１０４において、そのチャネルの処理で用いられるＨＡＲＱ合成器の形式が上で説明した選択基準に基づいて選択される。異なる形式のＨＡＲＱ合成器が受信処理経路に沿った異なる点に配置される。１１０６において、選択された合成器を用いて、現在のおよび誤りのある復号メッセージを有する先行のＨＡＲＱ伝送からの信号データに基づいてＨＡＲＱ合成した信号データの生成が始まる。１１０８において、合成したＨＡＲＱ信号が復号される。
【０１２２】
上述した図１１の方法１１００は、図１１Ａに示す手段＋機能（means−plus−function）ブロック１１００Ａに対応する種々のハードウェアおよび／または（複数の）ソフトウェア部品および／または（複数の）モジュールによって実行される。言い換えれば、図１１に例示するブロック１１０２乃至１１０８は図１１Ａに例示する手段＋機能ブロック１１０２Ａ乃至１１０８Ａに対応する。
【０１２３】
用語「決定すること」は、ここで用いられると、広範な種々の動作を包含する。例えば、「決定すること」は、算出すること（calculating）、計算すること（computing）、処理すること、導出すること、調査すること、検索（例えば表、データベースまたは別のデータ構造を検索）すること、確認すること、等を含む。また、「決定すること」は、受信（例えば情報を受信）すること、アクセス（例えばメモリー内のデータにアクセス）すること、等も含む。また、「決定すること」は解決すること（resolving）、選択すること、選別すること（choosing）、確立すること、等も含む。
【０１２４】
情報および信号は任意の種々の異なる技術および手法を用いて表されうる。例えば、上の記述中に参照されるデータ、命令、指示、情報、信号等は、電圧、電流、電磁波、磁場もしくは磁性粒子、光学場もしくは光粒子、またはそれらの任意の組合せで表されうる。
【０１２５】
本開示に関係して説明された例示的、論理ブロック、モジュール、および回路は、汎用プロセッサ、ディジタル信号プロセッサ（ＤＳＰ）、特定用途向集積回路（ＡＳＩＣ）、フィールドプログラマブルゲートアレイ（ＦＰＧＡ）もしくは他のプログラム可能論理デバイス（ＰＬＤ）、個別ゲートもしくはトランジスタ論理、個別ハードウェア部品、またはここに説明した機能を実行するように設計されたそれらの任意の組合せで実施または実行されうる。汎用プロセッサは、マイクロプロセッサでありうるが、代替的にはプロセッサは、任意の市販のプロセッサ、制御器、マイクロ制御器または状態機械であってもよい。プロセッサはまた、計算デバイスの組合せ、例えばＤＳＰとマイクロプロセッサ、複数のマイクロプロセッサ、ＤＳＰコアと連係した１つ以上のマイクロプロセッサ、または他のそのような構成として実施されうる。
【０１２６】
本開示に関係して説明された方法またはアルゴリズムのステップは、直接ハードウェアで、プロセッサで実行されるソフトウェアモジュールで、またはその２つの組合せで具体化されうる。ソフトウェアモジュール（すなわち、コード、命令など）は当業者に既知の任意の形式の記憶媒体内にありうる。用いられうる記憶媒体のいくつかの例は、ランダムアクセスメモリー（ＲＡＭ）、読み出し専用メモリー（ＲＯＭ）、フラッシュメモリー、ＥＰＲＯＭメモリー、ＥＥＰＲＯＭメモリー、レジスタ、ハードディスク、可搬型ディスク、ＣＤ−ＲＯＭなどを含む。ソフトウェアモジュールは、単一の命令もしくはコード、または多くの命令もしくはコードのストリング／セットを含み、またいくつかの異なるコードセグメントもしくは命令セット上に、異なるプログラムの間に、および複数の記憶媒体にまたがって分散されうる。記憶媒体は、プロセッサが情報を記憶媒体から読み出しおよび情報を記憶媒体に書き込むことができるようにプロセッサに接続されうる。代替的には、記憶媒体はプロセッサの構成部品でありうる。
【０１２７】
ここに開示された方法は、説明した方法を達成するための１つ以上のステップまたは動作を含む。方法のステップおよび／または動作は特許請求の範囲から逸脱することなく相互に交換されてもよい。言い換えれば、ステップまたは動作の特定の順序が指定されない場合、特定のステップおよび／または動作の順序および／または使用は特許請求の範囲から逸脱することなく変更されてもよい。
【０１２８】
説明した機能はハードウェア、ソフトウェア、ファームウェア、またはそれらの任意の組合せで実施されうる。ソフトウェアで実施される場合、機能は、計算機可読媒体上の１つ以上の命令として格納されうる。記憶媒体は、計算機からアクセスできる任意の利用可能な媒体でありうる。限定としてではなく、例として、そのような計算機可読媒体は、ＲＡＭ、ＲＯＭ、ＥＥＰＲＯＭ、ＣＤ−ＲＯＭもしくは他の光ディスク記憶、磁気ディスク記憶もしくは他の磁気記憶デバイス、または所望のプログラムコードを命令もしくはデータ構造の形式で搬送もしくは格納するために用いられ、かつ計算機によってアクセス可能な任意の他の媒体を含むことができる。ディスク（ｄｉｓｋ）およびディスク（ｄｉｓｃ）はここに用いられると、コンパクトディスク（ＣＤ）、レーザディスク、光ディスク、ディジタル多目的ディスク（ＤＶＤ）、フロッピー（登録商標）ディスクおよびブルーレイ（登録商標）ディスクを含む。ここでｄｉｓｋは通常、データを磁気的に再生し、ｄｉｓｃはレーザで光学的にデータを再生する。
【０１２９】
また、ソフトウェアまたは命令は伝送媒体上で送られうる。例えば、ソフトウェアがウェブサイト、サーバ、または他のリモートソースから同軸ケーブル、光ファイバーケーブル、撚り線、ディジタル加入者線（ＤＳＬ）、または赤外線、無線、およびマイクロ波のような無線技術を用いて伝送される場合、同軸ケーブル、光ファイバーケーブル、撚り線、ＤＳＬ、または赤外線、無線、およびマイクロ波のような無線技術は伝送媒体の定義に含まれる。
【０１３０】
さらに、例えば特定の図面および関連説明で例示したような、ここに説明した方法および手法を実行するためのモジュールおよび／または他の適切な手段は、ダウンロードされ、並びに／またはそうでなければ、必要に応じてユーザ端末および／もしくは基地局によって得ることができることが認識されるべきである。例えば、そのようなデバイスは、ここに説明した方法を実行する手段の転送を容易にするためにサーバに接続されてもよい。代替的に、ここに説明した種々の方法は、記憶手段（例えば、ＲＡＭ、ＲＯＭ、コンパクトディスク（ＣＤ）またはフロッピーディスク等のような物理的記憶媒体など）を介して提供されても良い。その結果、ユーザ端末、および／または基地局は、記憶手段をそのデバイスへ接続または提供すると、前記の種々の方法を達成することができる。さらに、ここに説明した方法または手法をデバイスに提供するための他の適切ないかなる手法も利用されうる。
【０１３１】
特許請求項が上に例示した明確な構成および部品に限定されないことが理解されるだろう。特許請求項の範囲から逸脱することなく、上述した方法および装置の配置、操作および細部における種々の修正、変更、および変形が可能である。
【図１】
2011508488.tif 000014
【図２】
2011508488.tif 000015
【図３】
2011508488.tif 000016
【図３Ａ】
2011508488.tif 000017
【図４Ａ】
2011508488.tif 000018
【図４Ｂ】
2011508488.tif 000019
【図５】
2011508488.tif 000020
【図６Ａ】
2011508488.tif 000021
【図６Ｂ】
2011508488.tif 000022
【図６Ｃ】
2011508488.tif 000023
【図７】
2011508488.tif 000024
【図８】
2011508488.tif 000025
【図９】
2011508488.tif 000026
【図１０】
2011508488.tif 000027
【図１１】
2011508488.tif 000028
【図１１Ａ】
2011508488.tif 000029
【国際調査報告】
2011508488.tif 000030
2011508488.tif 000031
2011508488.tif 000032